(57)【特許請求の範囲】
【請求項１】
メディア販売キオスク装置であって、
グラフィックユーザインタフェース（ＧＵＩ）を生成し、前記ＧＵＩを表示装置に表示することが可能な処理装置であって、前記ＧＵＩが、販売可能な複数の種類のメディアコンテンツを表示する第１のスクリーンを有する、前記処理装置と、
ユーザからの入力コマンドを受入れることが可能な第１の入力装置であって、前記入力コマンドが、関連するメディアコンテンツのユーザ選択を含む、前記第１の入力装置と、
前記メディアコンテンツが投入されるメモリ装置であって、選択された関連するメディアコンテンツのその後の転送が可能な前記メモリ装置と
を備え、
前記メモリ装置には、コンピュータデータネットワークを介して前記メモリ装置にアップロードされた前記メディアコンテンツの予定された方法での更新を伴って前記メディアコンテンツが予め組込まれ、
前記ユーザにより選択された前記メディアコンテンツに基づいて広告用コンテンツが選択され、かつ前記ＧＵＩ上に表示され、
前記処理装置は、遠隔オペレータに前記メモリ装置へのアクセスを確認し、前記メモリ装置へのアクセスを無効にし、前記メモリ装置のメディアコンテンツを使えなくする機能を与えることを可能にする遠隔暗号化管理アプリケーションを含み、
関連するメディアコンテンツの前記ユーザ選択は、前記ユーザおよび彼または彼女がメディアの好みを互いに共有できるようにするソーシャルネットワーキングソフトウェアによって決定されるメディアコンテンツに関する選択肢を含み、
前記処理装置は、前記ユーザが相対的望ましさに基づいてメディアコンテンツをランク付けすることを可能にするように構成され、
前記ＧＵＩは、前記ユーザの識別に基づいて前記ユーザに販売促進材料を提示するように構成されている、装置。
【請求項２】
ユーザの購入取引を容易にするためのカードリーダ装置をさらに備える、請求項１に記載の装置。
【請求項３】
関連するメディアコンテンツの前記ユーザ選択に応答してハードコピー文書を生成することが可能な印刷装置をさらに備える、請求項１に記載の装置。
【請求項４】
前記表示装置は、タッチスクリーン機能を含む、請求項１に記載の装置。
【請求項５】
前記第１の入力装置は、タッチスクリーンディスプレイである、請求項１に記載の装置。
【請求項６】
前記カードリーダ装置は、前記ユーザの識別の判断を可能にする、請求項２に記載の装置。
【請求項７】
前記印刷装置は、関連するメディアコンテンツの前記ユーザ選択に応答して、イベントチケットを印刷することが可能である、請求項３に記載の装置。
【請求項８】
メディアトランスポータ装置に係合する物理的なコネクタを含む第１のメディアトランスポータインタフェース装置を備える、請求項１に記載の装置。
【請求項９】
第２のメディアトランスポータインタフェース装置をさらに備える、請求項８に記載の装置。
【請求項１０】
前記第２のメディアトランスポータインタフェース装置は、無線接続プロトコルを利用する、請求項９に記載の装置。
【請求項１１】
前記第２のメディアトランスポータインタフェース装置は、Ｂｌｕｅｔｏｏｔｈ（登録商標）トランシーバである、請求項１０に記載の装置。
【請求項１２】
ビジネスサーバをさらに備え、前記ビジネスサーバは、広告コンテンツを選択する、請求項１に記載の装置。
【請求項１３】
前記広告コンテンツは、前記ユーザが選択した関連するメディアコンテンツと共に表示される、請求項１２に記載の装置。
【請求項１４】
前記メディアコンテンツは、映画、音楽、書籍、テレビ番組、スポーツイベント、ミュージックビデオ、コンピュータソフトウェア、およびイベントチケットからなる群から選択されるデジタルファイルを含む、請求項１に記載の装置。
【請求項１５】
メディア販売キオスク装置であって、
グラフィックユーザインタフェース（ＧＵＩ）を生成し、前記ＧＵＩを表示装置に表示することが可能な処理装置であって、前記ＧＵＩが、販売可能な複数の種類のメディアコンテンツを表示する第１のスクリーンを有する、前記処理装置と、
ユーザからの入力コマンドを受入れることが可能な第１の入力装置であって、前記入力コマンドが、関連するメディアコンテンツのユーザ選択を含む、前記第１の入力装置と、
前記メディアコンテンツが投入されるメモリ装置であって、選択された関連するメディアコンテンツのその後の転送が可能な前記メモリ装置と
前記メディアコンテンツを前記ユーザに分配する配信システムと
を備え、
前記ユーザに分配される前記メディアコンテンツは、ＵＳＢドライブ、永久的なＤＶＤ、一時的なＤＶＤ、または携帯電話、ＰＤＡ、またはタブレットを含むユーザ所有の装置に分配することが可能であり、
前記処理装置は、遠隔オペレータに前記メモリ装置へのアクセスを確認し、前記メモリ装置へのアクセスを無効にし、前記メモリ装置のメディアコンテンツを使えなくする機能を与えることを可能にする遠隔暗号化管理アプリケーションを含み、
関連するメディアコンテンツの前記ユーザ選択は、前記ユーザおよび彼または彼女がメディアの好みを互いに共有できるようにするソーシャルネットワーキングソフトウェアによって決定されるメディアコンテンツに関する選択肢を含み、
前記処理装置は、前記ユーザが相対的望ましさに基づいてメディアコンテンツをランク付けすることを可能にするように構成され、
前記ＧＵＩは、前記ユーザの識別に基づいて前記ユーザに販売促進材料を提示するように構成されている、装置。
【請求項１６】
ユーザの購入取引を容易にするためのカードリーダ装置をさらに備える、請求項１５に記載の装置。
【請求項１７】
関連するメディアコンテンツの前記ユーザ選択に応答してハードコピー文書を生成することが可能な印刷装置をさらに備える、請求項１５に記載の装置。
【請求項１８】
前記表示装置は、タッチスクリーン機能を含む、請求項１５に記載の装置。
【請求項１９】
前記第１の入力装置は、タッチスクリーンディスプレイである、請求項１５に記載の装置。
【請求項２０】
前記カードリーダ装置は、前記ユーザの識別の判断を可能にする、請求項１６に記載の装置。
【請求項２１】
前記印刷装置は、関連するメディアコンテンツの前記ユーザ選択に応答して、イベントチケットを印刷することが可能である、請求項１７に記載の装置。
【請求項２２】
メディアトランスポータ装置に係合する物理的なコネクタを含む第１のメディアトランスポータインタフェース装置を備える、請求項１５に記載の装置。
【請求項２３】
第２のメディアトランスポータインタフェース装置をさらに備える、請求項２２に記載の装置。
【請求項２４】
前記第２のメディアトランスポータインタフェース装置は、無線接続プロトコルを利用する、請求項２３に記載の装置。
【請求項２５】
広告用サーバをさらに備え、前記装置は、関連するメディアコンテンツの前記ユーザ選択に基づいて広告を選択し、前記広告は、前記ＧＵＩ上に表示される、請求項１５に記載の装置。
【請求項２６】
前記広告は、前記ユーザが選択した関連するメディアコンテンツと共に表示される、請求項２５に記載の装置。
【請求項２７】
前記メディアコンテンツは、映画、音楽、書籍、テレビ番組、スポーツイベント、ミュージックビデオ、コンピュータソフトウェア、およびイベントチケットからなる群から選択されるデジタルファイルを含む、請求項１５に記載の装置。
【請求項２８】
メディア販売キオスク装置であって、
グラフィックユーザインタフェース（ＧＵＩ）を生成し、前記ＧＵＩを表示装置に表示することが可能な処理装置であって、前記ＧＵＩが、販売可能な複数の種類のメディアコンテンツを表示する第１のスクリーンを有する、前記処理装置と、
ユーザからの入力コマンドを受入れることが可能な第１の入力装置であって、前記入力コマンドが、関連するメディアコンテンツのユーザ選択を含む、前記第１の入力装置と、
前記メディアコンテンツが投入されるメモリ装置であって、選択された関連するメディアコンテンツのその後の転送が可能な前記メモリ装置と
前記メディアコンテンツを前記ユーザに分配する配信システムと
を備え、
前記メディアコンテンツは、ＵＳＢドライブ、永久的なＤＶＤ、一時的なＤＶＤ、または携帯電話、ＰＤＡ、またはタブレットを含むユーザ所有の装置に分配することが可能であり、
前記メモリ装置には、コンピュータデータネットワークを介して前記メモリ装置にアップロードされた前記メディアコンテンツの予定された方法での更新を伴って前記メディアコンテンツが予め組込まれ、
前記ユーザによって選択されたメディアコンテンツに基づいて選択され、かつ表示された広告コンテンツを選択するビジネスサーバを備え、
前記処理装置は、遠隔オペレータに前記メモリ装置へのアクセスを確認し、前記メモリ装置へのアクセスを無効にし、前記メモリ装置のメディアコンテンツを使えなくする機能を与えることを可能にする遠隔暗号化管理アプリケーションを含み、
関連するメディアコンテンツの前記ユーザ選択は、前記ユーザおよび彼または彼女がメディアの好みを互いに共有できるようにするソーシャルネットワーキングソフトウェアによって決定されるメディアコンテンツに関する選択肢を含み、
前記処理装置は、前記ユーザが相対的望ましさに基づいてメディアコンテンツをランク付けすることを可能にするように構成され、
前記ＧＵＩは、前記ユーザの識別に基づいて前記ユーザに販売促進材料を提示するように構成されている、装置。
【請求項２９】
ユーザの購入取引を容易にするためのカードリーダ装置をさらに備える、請求項２８に記載の装置。
【請求項３０】
関連するメディアコンテンツの前記ユーザ選択に応答してハードコピー文書を生成することが可能な印刷装置をさらに備える、請求項２８に記載の装置。
【請求項３１】
前記表示装置は、タッチスクリーン機能を含む、請求項２８に記載の装置。
【請求項３２】
前記第１の入力装置は、タッチスクリーンディスプレイである、請求項２８に記載の装置。
【請求項３３】
前記カードリーダ装置は、前記ユーザの識別の判断を可能にする、請求項２９に記載の装置。
【請求項３４】
前記印刷装置は、関連するメディアコンテンツの前記ユーザ選択に応答して、イベントチケットを印刷することが可能である、請求項３０に記載の装置。
【請求項３５】
メディアトランスポータ装置に係合する物理的なコネクタを含む第１のメディアトランスポータインタフェース装置を備える、請求項２８に記載の装置。
【請求項３６】
前記メディアコンテンツは、映画、音楽、書籍、テレビ番組、スポーツイベント、ミュージックビデオ、コンピュータソフトウェア、およびイベントチケットからなる群から選択されるデジタルファイルを含む、請求項２８に記載の装置。
【請求項３７】
前記ＧＵＩは、
（ａ）複数のメディアコンテンツの選択肢を表示するステップと、
（ｂ）前記ユーザからのメディアコンテンツの選択を受け入れるステップと、
（ｃ）広告コンテンツを表示するステップと
を含むユーザエクスペリエンスを提供する請求項２８に記載の装置。
【発明の詳細な説明】
【技術分野】
【０００１】
本発明は、一般に、デジタルマルチメディアコンテンツに関し、より具体的には、マルチメディアコンテンツの販売、転送、格納、および再生のための装置、システムおよび方法に関する。
（関連出願の相互参照）
この出願は、２００９年７月１７日に出願された米国特許出願第１２／５０５，３４２号の一部継続出願である。
（連邦政府後援の研究または開発に関する申告）
非適用
（共同研究契約に関する関係者の名称）
非適用
（コンパクトディスクに関する資料の援用）
非適用
【背景技術】
【０００２】
近年、デジタルメディアの消費者は、インターネット等のデータネットワークを介して入手されるマルチメディアコンテンツにアクセスし、そのコンテンツを格納し、視聴するための様々な種類の装置およびシステムの著しい普及を目にしてきている。例えば、多くのオンラインメディアディストリビュータは、インターネットにアクセスできる消費者に、大きなコンテンツデータベースに接続されるプロプライエタリソフトウェアを介してビデオおよびオーディオコンテンツを購入およびダウンロードする能力を提供している。そのプロプライエタリソフトウェアは、消費者がそのメディアコンテンツを、パーソナルコンピュータ、ラップトップコンピュータ、携帯情報端末（ＰＤＡ）、パーソナルメディアプレーヤーまたは携帯電話等のパーソナル電子機器に格納することを可能にする。その結果、消費者は、そのコンテンツをそのような機器で再生し、または、そのコンテンツを格納および再生のための他の装置へ移すことができる。
【０００３】
しかし、合衆国の家庭のうちのおよそ４０％の人は、ブロードバンドを介してインターネットにアクセスできない。実際、多くの家庭が、インターネットに全くアクセスすることができない。その結果として、そのような家庭で暮らしている個人が、インターネットによってメディアコンテンツを入手することは、なおさら厄介である、あるいは不可能である。インターネットにアクセスできないが、デジタルマルチメディアコンテンツを手に入れ、使用したい消費者の大多数には、最近まで、ほんのわずかの有効な選択肢しかなかった。一つの選択肢は、消費者の家から物理的に遠く離れている場所にある小売店からメディアコンテンツを購入または借りることができるということである。そのメディアを入手した後、その消費者は、携帯型または据置き型の再生装置によってそのコンテンツを見たり聴いたりすることができる。レンタルで入手したメディアの場合、そのメディアは、その消費者が返却しなければならず、多くの場合、厄介な用事である。
【０００４】
メディアをきちんとした方法で格納し、およびそのメディアを損傷から守るという努めは、メディアを購入する消費者にとって同様に厄介である。ほとんどのメディアは、いまだに、（ビデオ、オーディオおよびゲーム用プロダクトを含む）ＤＶＤおよびＣＤ等の物理的なメディアデバイスフォーマットで販売されているため、ほとんどの消費者は、相当数の購入ディスクと、整理されないで格納され、および多くの場合に、消費者の家庭において損傷から守られていない他の多種多様のメディアとを溜めている。従来開示されている装置および他のシステムは、消費者が、それによってマルチメディアコンテンツを入手し、格納し、および再生する手段を改良しようとしてきた。
【０００５】
そのような一つのシステムは、２００９年５月７日に公開され、およびアップル社に譲渡された米国特許出願公開第２００９／０１１７８４６（Ａ１）号明細書（本願明細書において以後、「アップル社の‘８４６公報」という）に開示されている。アップル社の‘８４６公報は、データネットワークを介して集中型メディア格納サーバに接続される１つ以上のメディア配信キオスクを介して、メディア配信システムがメディアコンテンツをメディア装置に配信できるようにするシステムおよび方法を開示している。具体的には、アップル社の‘８４６公報は、消費者が、メディアコンテンツを購入して、彼または彼女の携帯型メディア装置にダウンロードできるようにするために、メディア配信キオスクへの接続を（有線または無線で）確立するように構成されている携帯型メディア装置を教示している。アップル社の‘８４６公報によって教示されたその携帯型メディア装置は、リモートホストまたは他のクライアント装置へメディアをアップロードすることが可能である。
【０００６】
従来開示されている他の装置、例えば、（本出願時に構成された）ＫＡＬＥＩＤＥＳＣＡＰＥ（登録商標）１０８０ｐ  プレーヤ（ｈｔｔｐ：／／ｗｗｗ．ｋａｌｅｉｄｅｓｃａｐｅ．ｃｏｍを参照）は、光ディスク上に存在する情報を復号して、その情報のコピーをローカルまたは外部の格納ドライブ上に格納することが可能なプレーヤ装置に、消費者がＤＶＤおよびＣＤ等の光ディスクを挿入できるように構成されている。また、これらの従来の装置は、格納されたメディアにアクセスして再生するための使いやすいナビゲーションメニューをユーザに提供する。上記の能力は、それらの収集された光ディスクのコレクションに含まれたメディアを、消費者が、１つの容易にアクセス可能なシステムに格納できるようにする。しかし、それらの従来のメディアプレーヤー／格納装置の一つの欠点は、例えば、アップル社の‘８４６公報によって教示されたメディア配信システムと接続して使用できるような携帯型メディア格納装置と通信することが不可能であるということである。実際には、そのようなシステムは、光ディスクに格納されたメディアに、または、データネットワークを介してアクセスすることのみが可能である。
【０００７】
従来あるメディア配信のための他のシステムは、同様の欠点に悩まされている。そのような一つのシステムは、２００４年１２月１６日に公開され、およびヘクター・セザール・ブラッシュ（Ｈｅｃｔｏｒ  Ｃｅｓａｒ  Ｂｒｕｓｈ）が発明者として指定されている米国特許出願公開第２００４／０２５４９４０（Ａ１）号明細書（本願明細書において以後、「Ｂｒｕｓｈの‘９４０公報」という）に開示されているデジタルメディア配信システムである。Ｂｒｕｓｈの‘９４０公報は、アップル社の‘８４６公報によって教示されたものと同様のメディア配信キオスクを教示している。メディアがメディアカードに転送されるように、メディア配信キオスクと通信することが可能なポータブルデジタルメディアカードが開示されている。Ｂｒｕｓｈの‘９４０公報はさらに、そのポータブルデジタルメディアカード上に存在する情報を受取り、読み取り、および格納することが可能なメディアプレーヤーを教示している。Ｂｒｕｓｈの‘９４０公報によって教示されたシステムの一つの欠点は、その公報に開示されているメディアプレーヤーは、光ディスクを収容して読取ることが不可能であるということである。上述したように、ほとんどの消費者は、相当数のＤＶＤおよびＣＤのコレクションを持っている。Ｂｒｕｓｈの‘９４０公報によって教示されたそのメディアプレーヤーは、そのようなＤＶＤまたはＣＤを再生することができないであろうし、それにより、消費者は、そのようなメディアの再生用の別のプレーヤを使用することを要することになるであろう。
【発明の概要】
【発明が解決しようとする課題】
【０００８】
本願明細書に開示された本発明の目的は、従来技術に見られるこれらおよび他の欠陥を改善することである。
【課題を解決するための手段】
【０００９】
本発明は、メディア販売キオスク装置、すなわち、メディアトランスポータ装置へのデジタルメディアコンテンツの１つ以上のダウンロードを得るためにユーザがアクセスする装置であって、グラフィックユーザインタフェース（ＧＵＩ）を生成し、およびそのＧＵＩを表示装置に表示することが可能な処理装置であって、そのＧＵＩが、販売可能な複数の種類のメディアコンテンツを表示する第１のスクリーンを有する処理装置と、ユーザからの入力コマンドを受入れることが可能な第１の入力装置であって、そのコマンドが、関連するメディアコンテンツのユーザ選択を含む入力装置と、そのメディアコンテンツが複数のデジタルフォーマットで投入され、および選択された関連するメディアコンテンツのメディアトランスポータ装置への後の転送が可能な不揮発性メモリ装置と、その選択された関連するメディアコンテンツの後のダウンロードのために、そのキオスクとユーザのメディアトランスポータ装置とのインタフェースをとるための第１のメディアトランスポータインタフェース装置と、ユーザによって選択されたその関連するメディアコンテンツと共に符号化された光学式格納ディスクを生成することが可能な光学式格納記録および分配装置とを具備する装置を提供する。
【００１０】
本発明はさらに、メディア格納および再生装置であって、暗号化されたメディアコンテンツが格納されている不揮発性メモリを有する物理的メディア装置と、メディアコンテンツが格納されている不揮発性メモリを有するメディア装置の少なくとも一方を受け容れるためのメディアインタフェース装置と、少なくとも１つのコンピュータ処理装置、すなわち、揮発性メモリであって、第１の物理的メディア装置に格納された暗号化されたメディアコンテンツと、メディア装置に格納されたメディアコンテンツとをトランスコーディングすることが可能な処理装置と、処理装置によって制御可能な少なくとも１つの装置であって、少なくともメディアコンテンツの格納のための不揮発性メモリを有する格納装置と、データネットワークとの通信を確立するための無線トランシーバと、格納装置に格納されたメディアコンテンツの再生用の再生装置とを具備する装置を提供する。
【００１１】
本発明はさらに、メディアコンテンツを販売するための方法であって、ユーザによる購入のための複数の、ユーザが選択可能なメディアコンテンツを有するメディア販売キオスクを備えるステップであって、そのメディアコンテンツがグラフィックユーザインタフェース（ＧＵＩ）上に表示されるステップと、そのキオスクにおいて、ユーザのカードからのユーザの識別に関連する情報を受取り、そのユーザに関連する情報に基づいて広告を選択するステップと、メディアコンテンツのユーザ選択に関連する具体的なタイトルに対する検索クエリを受入れ、そのシステム上で利用可能な関連するタイトルをそのＧＵＩ上に表示するステップと、ユーザが選択したタイトルのプレビューの要求を受入れ、そのプレビュービデオをそのＧＵＩ上に表示するステップと、ユーザメディアトランスポータ装置へのダウンロードのために、そのシステム上で利用可能なそのユーザが選択したタイトルのためのデータフォーマットを表示するステップと、ユーザが選択した１つ以上のタイトルに対するユーザ支払い方法を承認するステップと、そのユーザメディアトランスポート装置に接続し、そのトランスポート装置のための必要なデータフォーマットを自動的に決定するステップと、その選択されたタイトルをそのメディアトランスポート装置にアップロードするステップとを具備する方法を提供する。
【００１２】
本発明のユニバーサルマルチメディア販売、格納、および再生システムおよび方法のより完全な理解は、添付図面と共に解釈すれば、以下の詳細な説明を参照することによって得ることができる。
【図面の簡単な説明】
【００１３】
【図１】本発明のユニバーサルマルチメディア販売、格納、および再生システムの好適な実施形態のブロック図である。
【図２】本発明のユニバーサルマルチメディア販売、格納、および再生システムのメディア販売キオスクの好適な実施形態の斜視図を示す。
【図３】本発明のユニバーサルマルチメディア販売、格納、および再生システムの携帯型メディアトランスポータ装置の好適な実施形態の斜視図を示す。
【図４】本発明のユニバーサルマルチメディア販売、格納、および再生システムの携帯型メディアトランスポータ装置の代替的な実施形態を示す。
【図５】本発明のユニバーサルマルチメディア販売、格納、および再生システムのメディア格納および再生装置の好適な実施形態のハードウェアおよび機能の全体的な概観を示すブロック図である。
【図６】本発明のユニバーサルマルチメディア販売、格納、および再生システムのメディア格納および再生装置に付随するハードウェアの好適な実施形態のブロック図である。
【図７】本発明のユニバーサルマルチメディア販売、格納、および再生システムのメディア格納および再生装置に付随するソフトウェアの好適な実施形態のブロック図である。
【図８】ユーザに提示される、そのシステム上で利用可能な様々なメディアコンテンツの選択肢を強調した、メディア販売キオスクのユーザインタフェースの一実施形態の図である。
【図９】ユーザに対する初期画面を示すユーザインタフェースの実施形態の図である。
【図１０】ユーザに提示される映画検索機能を示すユーザインタフェースの実施形態の図である。
【図１１】ユーザに提示される映画検索の結果を示すユーザインタフェースの実施形態の図である。
【図１２Ａ】ユーザによって選択された具体的な映画選択を示すユーザインタフェースの実施形態の図である。
【図１２Ｂ】ユーザによって選択された具体的な映画選択のプレビューを示すユーザインタフェースの実施形態の図である。
【図１３】ショッピングカート機能およびユーザによって選択されたコンテンツを示すユーザインタフェースの実施形態の図である。
【図１４】精算時のユーザの支払い方法を示すユーザインタフェースの実施形態の図である。
【図１５】ユーザに対する代替的な支払いプロンプト画面を示すユーザインタフェースの実施形態の図である。
【図１６】ユーザに対する支払い完了画面を示すユーザインタフェースの実施形態の図である。
【図１７Ａ】ステータスバーが、ＵＳＢ接続装置への転送の状態を示している状態の、ユーザに対するメディア転送画面を示すユーザインタフェースの実施形態の図である。
【図１７Ｂ】ステータスバーが、ｉＰｏｄ（登録商標）装置への転送の状態を示している状態の、ユーザに対する代替的なメディア転送画面を示すユーザインタフェースの実施形態の図である。
【図１７Ｃ】ステータスバーが、ＵＳＢフラッシュドライブ装置への転送の状態を示している状態の、ユーザに対する代替的なメディア転送画面を示すユーザインタフェースの実施形態の図である。
【図１７Ｄ】ステータスバーが、光学式格納装置への転送の状態を示している状態の、ユーザに対する代替的なメディア転送画面を示すユーザインタフェースの実施形態の図である。
【図１８】ユーザに対するメディア転送終了画面を示すユーザインタフェースの実施形態の図である。
【図１９】ユーザに対する支払い完了画面を示すユーザインタフェースの実施形態の図である。
【図２０Ａ】ユーザに提示される追加的なプロセスフローを示す、ユーザインタフェースの別の実施形態のフロー図である。
【図２０Ｂ】ユーザに提示される追加的なプロセスフローを示す、ユーザインタフェースの別の実施形態のフロー図である。
【図２０Ｃ】ユーザに提示される追加的なプロセスフローを示す、ユーザインタフェースの別の実施形態のフロー図である。
【図２０Ｄ】ユーザに提示される追加的なプロセスフローを示す、ユーザインタフェースの別の実施形態のフロー図である。
【発明を実施するための形態】
【００１４】
添付図面の様々な図で用いる場合、同じ数字は、同じかまたは同様の部材を指す。さらに、本願明細書において、「上部」、「底部」、「第１の」、「第２の」、「上方」、「下方」、「高さ」、「外側」、「内側」、「幅」、「長さ」、「端部」、「側部」、「水平方向の」、「垂直方向の」という用語および同様の用語が用いられている場合、これらの用語は、添付図面に図示されている構成にのみ関係し、および本発明の説明を容易にするためだけに用いられていることを理解すべきである。
【００１５】
全ての図面は、本発明の基本的教示を容易に説明するためだけに描かれており、従って、本発明に関する以下の教示を読んで理解すれば、好適な実施形態を構成するための部材の数、位置、関係および寸法に関する図の拡大適用は明らかになるであろうし、あるいは、当技術分野の範囲に入るであろう。さらに、具体的な幅、長さおよび同様の要件に適合させるための正確な寸法および寸法比率は、同様に、本発明に関する以下の教示を読んで理解すれば、当技術分野の範囲に入るであろう。
【００１６】
次に、本発明によるユニバーサルマルチメディア販売、格納、および再生システムおよび方法の好適な実施形態を、添付図面を参照して詳細に説明する。
この特許文書の開示の一部は、著作権保護の対象となる資料を含んでいる。著作権者は、特許商標局のファイルまたは記録にある場合、特許文書または特許開示の複写には異議はないが、全ての著作権の権利は何であれ保有するものとする。
【００１７】
図１を参照すると、本発明のユニバーサルマルチメディア販売、格納、および再生システム１００の好適な実施形態のブロック図が図示されている。システム１００は、小売店、運輸拠点（空港、バスステーションおよび鉄道の駅等）、レストラン、および消費者が集まりそうな他の場所等の様々な商業的に有利な物理的な位置に配置できる１つ以上のメディア販売キオスク１０６を含む。メディアコンテンツにアクセスしようとするそのシステムのユーザは、メディア販売キオスク１０６を介してそうすることができる。メディア販売キオスク１０６は、データネットワーク１１４に接続されている。
【００１８】
データネットワーク１１４は、インターネット、プライベートネットワーク、モバイルデータネットワーク、衛星ネットワーク、公衆交換電話網（ＰＳＴＮ）、または情報の通信を処理することが可能な他の何らかのネットワークのうちの１つ以上を含むことができることが意図されている。好適な実施形態のメディア販売キオスク１０６は、有線接続を介してデータネットワーク１１４と通信するが、キオスク１０６の代替的な実施形態を、無線手段を介してデータネットワーク１１４と通信するように構成できることも意図されている。
【００１９】
システム１００のユーザへの販売のためにアクセス可能なメディアコンテンツ１０２は、少なくとも１つの格納サーバ１１０によって制御される１つ以上の格納システム１０２内にある。販売用に格納システム１０２に格納されているメディアコンテンツ１０２の実例は、限定するものではないが、映画、音楽、電子書籍、オーディオブック、ゲーム用ソフトウェア、着信音、テレビ番組やスポーツのビデオ、ミュージックビデオ、写真画像、コンピュータソフトウェア、および映画、劇場、コンサート、モータースポーツ、スポーツイベント等の娯楽の電子チケットを含む。格納サーバ１１０は、データネットワーク１１４を介してそのキオスクに電子的に結合されており、メディア販売キオスク１０６との通信を実行できる。キオスク１０６は、市販用のメディアコンテンツの全てまたは一部の内部格納を提供でき、および追加的なコンテンツを提供するために、ネットワーク化されている第三者のコンテンツサプライヤーと共同して機能することができる。第三者のコンテンツプロバイダの実例は、ビデオオンデマンド（ＶＯＤ）用のＡｖａｉｌ−ＴＶＮサービスである。
【００２０】
メディア販売キオスク１０６は、ユーザが、それを介してデータネットワーク１１４と通信して、格納されているメディアコンテンツにアクセスできるインタフェースを装備している。以下でより詳細に説明するように、そのメディア販売キオスクは、（グラフィックユーザインタフェースまたは「ＧＵＩ」を備えた）表示装置と、ユーザがそのキオスクと情報をやりとりできるようにするヒューマンインタフェース装置（キーボード、タッチスクリーン、トラックボール等）とを含む。ユーザが、そのメディア販売キオスク１０６とのコンタクトを開始すると、そのユーザにより、または、そのユーザおよびそのユーザに関連する他の情報を識別する、そのユーザによって制御される装置により、情報がそのキオスクに与えられる。そのような情報は、ユーザの金融情報（クレジットカードおよび銀行口座残高情報）、ユーザのメディアの好み（好きな映画の種類や歌のジャンル）、ユーザの購入履歴、およびそのユーザが、将来の購入に割り当てることのできる何らかの割引または限度額を含むことができる。このユーザ情報は、その後、データネットワーク１１４に接続されているビジネスサーバ１１２へ送信される。
【００２１】
キオスク１０６は、ユーザが、ビジネスサーバ１１２上に存在し、かつキオスク１０６を介してアクセス可能な仮想メディアストアのメニューを操作できるようにするブラウザアプリケーションを含む。そのブラウザは、ユーザが所望のメディアを検索することを可能にする。ユーザによって所望のメディアが見つけられると、そのユーザは、ダウンロード用のそのメディアのコピーを購入するか、または他の方法（レンタル、ライセンス等）で手に入れるかを選択することができる。そのビジネスサーバは、そのユーザによって与えられた情報、およびそのデータネットワークを介して得られたか、またはそのビジネスサーバ自体の中にある他の金融情報に基づいて、メディアをダウンロードするユーザの要求を許可するか否かを判断する。そのビジネスサーバが、要求されたダウンロードを許可すべきであると判断した場合には、そのビジネスサーバは、ユーザがそのメディアをダウンロードすることを許可する。
【００２２】
メディア販売キオスク１０６は、キオスク１０６とドッキングすることが可能であり、およびユーザによる後の利用のために、メディアコンテンツを格納して輸送するのに用いられるメディアトランスポータ装置１０８と情報をやりとりするように構成されている。メディアトランスポータ装置１０８は、メディア販売キオスク１０６とやりとりして、そのユーザの識別を可能にし、およびメディアを手に入れるための許可を得るのに必要な金融情報の処理を容易にすることができる、そのユーザに関連する情報を含むことができる。メディアトランスポータ装置１０８の好適な実施形態は、主にデータ格納装置として機能するが、代替的な実施形態は、その装置を用いることにより、その仮想メディアストアを無線で閲覧し、およびそのメディアを前記装置にダウンロードして再生する能力をそのユーザに与えることが可能な装置を含むこともできる。このような代替的な実施形態を、図４を参照して以下に開示する。
【００２３】
一旦、ダウンロードがビジネスサーバ１１２によって許可されると、格納サーバ１１０は、ユーザのメディアトランスポータ装置へのダウンロードのために、選択されたメディアを取得してキオスク１０６へ伝送する。次に、キオスク１０６は、キオスク１０６にドッキングされているメディアトランスポータ装置１０８にそのメディアを伝送する。そのユーザは、上述した方法で、ダウンロードのための追加的なメディアコンテンツを選択し続けるか、あるいは、彼または彼女のメディア販売キオスク１０６とのセッションを終了することができる。そのメディアトランスポータ装置は、その好適な実施形態において、ユーザによって容易に携帯可能なように十分に小さく、ユーザが、さらなる利用のために他の場所にそれを運ぶことを可能にしている。
【００２４】
続けて図１を参照すると、本発明のユニバーサルマルチメディア販売、格納、および再生システム１００は、メディアトランスポータ装置１０８と情報をやりとりすることが可能なメディア格納および再生装置１０４を含む。メディア格納および再生装置１０４は、２つの装置間で通信を行えるように、そのメディアトランスポータ装置を受け容れるための少なくとも１つの手段を含む。この好適な実施形態において、そのメディア格納および再生装置に一体化され、さらにｅＳＡＴＡポートに接続されるＰＣＭＣＩＡスロットは、２つの装置間で通信を行えるように、そのメディアトランスポータ装置を受け容れる手段を装備している。メディアトランスポータ装置１０６から読み出された情報は、メディア格納および再生装置１０４によってアクセス可能な（そのメディア格納および再生装置の内部または外部のいずれかの）データ格納装置に格納される。メディア格納および再生装置１０４は、光ディスク、セキュアデジタル（ＳＤ）カード、メモリスティック、コンパクトフラッシュカードおよびＵＳＢフラッシュドライブ等の他のメディアフォーマットからの情報を取得することが可能である。メディア格納および再生装置１０４は、無断コピーを防ぐように構成されているコピー防止システムを有するメディアに格納された情報をトランスコーディングすることが可能である。そのようなコピー防止システムは、コンテンツスクランブリングシステム（Ｃｏｎｔｅｎｔ  Ｓｃｒａｍｂｌｉｎｇ  Ｓｙｓｔｅｍ：ＣＳＳ）およびアドバンスドアクセスコンテンツシステム（Ａｄｖａｎｃｅｄ  Ａｃｃｅｓｓ  Ｃｏｎｔｅｎｔ  Ｓｙｓｔｅｍ：ＡＡＣＳ）を含む。一旦、トランスコーディングされると、その情報は、メディア格納および再生装置１０４がアクセス可能な格納システムに格納される。
【００２５】
また、メディア格納および再生装置１０４は、デジタルカメラ、ビデオカメラ、スキャナ、プリンタ、パーソナルコンピュータ、携帯情報端末（ＰＤＡ）および携帯電話等の他の装置と情報をやりとりすることも可能である。さらに、メディア格納および再生装置１０４は、プログラミングコンテンツをダウンロードする、ビジネスサーバ、オンラインゲーム、電子メールを介してメディアをダウンロードする、およびワールドワイドウェブ（ＷＷＷ）にアクセスする等の様々な目的のために、１つ以上のデータネットワーク１１４と通信することが可能である。
【００２６】
メディア格納および再生装置１０４は、格納されているメディアにアクセスするための、テレビ番組情報を得るための、ＷＷＷにアクセスするための、仮想メディアストアを検索するための、およびテレビ番組を記録するための対話形式メニューをユーザに提供することが可能なソフトウェアアプリケーションを含む。メディアの再生は、１つ以上のテレビ受像機、モニタ、プロジェクタ、スピーカーおよび／またはそのような目的に適応する他の何らかの装置等の周辺装置によって実現される。
【００２７】
次に、図２を参照すると、本発明のユニバーサルマルチメディア販売、格納、および再生システム１００のメディア販売キオスク１０６の好適な実施形態の斜視図が図示されている。その好適な実施形態に図示されているキオスク１０６は、パーソナルコンピュータまたは現金自動預け払い機（ＡＴＭ）と構成が同様の自立型ハウジング２０２を含むが、代替的な実施形態は、実質的に異なる構成を有することが可能であることを理解すべきである。例えば、キオスク１０６の代替的実施形態は、パネルとして、壁（図示せず）と同一平面に、あるいは、他の何らかの取付け手段によって据え付けることができる。
【００２８】
キオスク１０６は、オペレーティングシステムが、その装置上で、データの不揮発性記憶のための少なくとも１つのオンボード格納装置（ハードディスクドライブ等）を制御するように機能するコンピュータ処理装置（図示せず）と、タッチスクリーンインタフェース２１０を介して操作することができるグラフィックユーザインタフェース（ＧＵＩ）（図示せず）をユーザが視覚的に理解できるようにするディスプレイ２１０とを含む。そのオペレーティングシステムは、Ｍｉｃｒｏｓｏｆｔ  Ｗｉｎｄｏｗｓ（登録商標）等の市販されているいずれかのオペレーティングシステムとすることができ、あるいは、そのキオスクシステム用に開発された専用システムとすることができる。そのＧＵＩは、その内蔵コンピュータ処理装置上で作動するコンピュータソフトウェアによって生成され、および制御される。キオスク１０６の代替的な実施形態は、キーボードおよびマウスまたはトラックボール等の入力装置コントローラを利用することができる。キオスク１０６はさらに、メディアトランスポータ装置１０８を受け容れるためのドッキングポート２０６と、音声を含むメディアサンプルの再生を生じさせることが可能なスピーカー２２２とを含むことができる。
【００２９】
メディアトランスポータ装置１０８の好適な実施形態は、前述のドッキングポート２０６を介してキオスク１０６に結合されるが、そのメディアトランスポータ装置（本願明細書において以後、「スマートメディアトランスポータ装置」という）の代替的な実施形態は、キオスク１０６と仮想無線ドックを確立することが可能である。キオスク１０６内に設けられたセンサ２１２は、スマートメディアトランスポータ装置がキオスク１０６のすぐ近くにあるか否かを判断することが可能である。一旦、スマートメディアトランスポータ装置が適切な範囲内に入ると、その装置は、許可された装置として認証されて、そのキオスクとその装置との間に接続が確立される。そのキオスクに設置されたアンテナ２０４は、スマート装置とそのキオスクとの間でのデータ信号の送受信を実行できる。また、アンテナ２０４は、キオスク１０６とデータネットワーク１１４との間での信号の送受信も実行できる。キオスク１０６とデータネットワーク１１４との間で無線接続を利用することにより、そのキオスクを、無線ネットワークの到達範囲内のどの場所にも配置することができる。
【００３０】
本発明のシステムのほとんどのユーザは、便利な金融取引を可能にするために、そのシステムのオペレータに金融情報を提供するであろう。そのような情報は、クレジットまたはデビットカード情報、銀行口座情報、商品券、または、それによって、ユーザのために設定された口座からお金を引き落としたり、その口座に入金したりすることのできる他の何らかの様態を含むことができる。しかし、キオスク１０６は、そのキオスクに設けられたカードリーダ装置スロット２０８を介して、クレジット／デビット／ギフトカードを読取ることも可能であろう。そのカードリーダ装置は、ユーザのカード上の磁気ストライプ、または、そのカード内に設けられたトランシーバチップ（ＲＦＩＤチップ等）を利用する。
【００３１】
キオスク１０６の別の機能は、分配スロット２１８を介してユーザに対して、データを記録して販売することである。限定するものではないが、（ブルーレイディスク、ＤＶＤおよびＣＤＲＯＭディスク等の）光ディスク上に存在するメディア、クーポンおよび他の宣伝／販売促進材料を含む様々なアイテムを、そのキオスクによって記録して、前述のスロット２１８を介して販売することができる。上記のアイテムは、そのキオスク自体の中に、あるいは、そのキオスクがアクセス可能な場所に格納することができる。そのようなアイテムを販売するための既知の何らかのメカニズムを利用することができる。そのキオスク内のプリンタ（図示せず）は、符号２２０からユーザに対して排出される、レシートまたはイベントチケット等のペーパーアイテムに文字および／またはグラフィックを印字するのに用いられる。
【００３２】
次に、図３を参照すると、本発明のユニバーサルマルチメディア販売、格納、および再生システムの携帯型メディアトランスポータ装置１０８の好適な実施形態の斜視図が示されている。メディアトランスポータ装置１０８は、メディアおよび他の情報を、ハードドライブまたはフラッシュドライブ等の不揮発性メモリ装置に格納すること、およびメディア販売キオスク１０６およびメディア格納および再生装置１０４と通信することの両方が可能である。そのトランスポータ装置の好適な実施形態は、５４ｍｍのＥＸＰＲＥＳＳＣＡＲＤ（登録商標）（ｈｔｔｐ：／／ｗｗｗ．ｅｘｐｒｅｓｓｃａｒｄ．ｏｒｇを参照）、すなわち、当業者には周知の装置であるが、上記の性能を有する他の何らかの装置を用いてもよいことが意図されている。
【００３３】
そのトランスポータは、ユーザが彼または彼女の体に携帯するのに便利なサイズおよび形からなることが好ましい。また、そのトランスポータは、少なくとも１本の映画をまるごと高解像度フォーマットで収めるのに十分に大きな記憶容量を有していなければならない。そのトランスポータの代替的な実施形態が、様々なサイズであるが、消費者が所望する大量の映画、音楽、ビデオゲームおよび他のメディアを収めるのに十分な記憶容量を有することができることは当業者にとって明白であろう。
【００３４】
次に、図４を参照すると、本発明のユニバーサルマルチメディア販売、格納、および再生システムの携帯型メディアトランスポータ装置の代替的な実施形態が図示されている。上述したように、そのメディアトランスポータ装置（「スマートメディアトランスポータ装置」）の代替的な実施形態は、追加的な機能を有してもよい。スマートメディアトランスポータ装置１０８は、携帯電話、携帯情報端末（ＰＤＡ）、スマートフォン、ラップトップコンピュータ、モバイルメディアプレーヤー、または無線通信が可能な他の装置等の装置を含むことができる。
【００３５】
スマートメディアトランスポータ装置１０８には、ユーザが、その装置によって表示されるＧＵＩを見て操作できるようにするスクリーン４０２およびキーパッド４０４が備えられている。そのスマートメディアトランスポータは、処理装置と、その装置に、メディアを再生する機能を与えるソフトウェアアプリケーションとを含む。また、そのスマートメディアトランスポータ装置は、無線トランシーバを含み、およびそのメディア販売キオスクおよびメディア格納および再生装置と無線で通信するように構成されており、およびユーザが、そのスマートメディアトランスポータ装置のＧＵＩを利用して、その仮想メディアストアと情報をやりとりできるようにする。別法として、そのスマートメディアトランスポータ装置は、そのメディア販売キオスクと情報をやりとりすることなく、そのビジネスサーバおよび格納サーバと無線で通信することができる。しかし、そのような機能は、ユーザが、メディアをダウンロードするために、そのキオスクの設置場所に存在することを要求することが望ましい場合には、そのメディア販売システムのオペレータによって無効にすることができる。さらに、そのスマートメディアトランスポータ装置が無線通信する機能を無効にした場合、その装置に設けられた通信ポート４０６は、そのキオスクの対応するドッキングポートに結合することができ、その結果、その装置とそのキオスクは、前記ポートを介して情報をやりとりすることができる。
【００３６】
携帯型メディアトランスポータ装置１０８の別の実施形態は、そのキオスクまたは他の商業小売ベンダーによって供給することができるＵＳＢフラッシュメモリ等の予め搭載されているメモリスティックである。例えば、小売ベンダーは、予めその装置に、デジタルムービー、ゲーム、音楽、画像、ソフトウェア等あるいはそのようなデジタルメディアコンテンツを組込むことができる。この予め組込まれたメディアは、販売促進用途のための小売業者によるある程度の販売努力を支援するのに利用することができ、または、商品券やテレフォンカードが提供されるのと同じ方法で提供することができる。例えば、販売時点管理ディスプレイは、最新の販売またはレンタル用の映画作品が予め組込まれている携帯型メモリ装置を収容することができる。従って、消費者は、メディア格納および再生装置１０４での再生のためにその映画を購入することができる。その予め組込まれたメディアは、そのメディアが、レンタルまたは所有を意図されているか否かについて、そのメディア格納および再生装置に告知するための符号化された指示を含むこともできる。例えば、そのメディアコンテンツがレンタル用の映画である場合、その符号化は、消費者がその映画を見ることのできる回数に関する情報を含むことができ、あるいは、その映画を見ることが可能な期間を含むことができる。一旦、鑑賞期限に達すると、そのメディア格納および再生装置は、そのメディアファイルを自動的に消去し、およびその携帯型メモリ装置は、消費者が適当であると思った場合に、追加的なメディアファイル用の格納装置として利用することができる。
【００３７】
次に、図５を参照すると、本発明のユニバーサルマルチメディア販売、格納、および再生システムのメディア格納および再生装置の好適な実施形態のブロック図、すなわち、その装置の機能の概要が図示されている。以下に詳細に説明する図６および図７は、その装置の好適な実施形態の範囲内で用いられるハードウェアおよびソフトウェアのより詳細な説明図を示す。メディア格納および再生装置１０４は、ＤＶＤおよびＣＤ等の光ディスク、ならびにそのメディアトランスポータ装置等のメモリカードを含む様々なメディアフォーマットからの情報をトランスコーディングして格納することが可能である。その目的のため本願明細書においては、「トランスコード」という用語、またはその変化形は、その用語の元の意味ならびに、許可されていない者による利用を防ぐために暗号化または他の方法で符号化されている何らかの情報を、格納および再生のために復号する何らかの動作を含むように定義しなければならない。光ディスクやメモリ装置からの情報を読取りおよび格納するためのそのメディア格納および再生装置の機能は、従来技術には見られない効果をもたらす。
【００３８】
メディア格納および再生装置１０４は、ＤＶＤおよびＣＤ（光ディスク）等の物理的なメディア装置を収容する手段を含む。本発明の好適な実施形態において、そのメディア格納および再生装置は、その装置の前面のスロット５０４を介して光ディスクを収容する。同様に、そのメディア格納および再生装置は、メディアコンテンツを含む物理的なメディア装置を収容する第２の手段を含む。そのメディア格納および再生装置の好適な実施形態は、その装置の前面に見られ、そのメディアトランスポータ装置を受け容れるように構成されているスロット５０５を含む。好適な実施形態において、そのメディアトランスポータ装置を収容するためのスロット５０５は、さらにｅＳＡＴＡポート（図示せず）に接続さるＰＣＭＣＩＡスロット５０５等のメディアトランスポータインタフェース装置である。ＰＣＭＣＩＡスロットは、本実施形態と共に議論するが、シリアルポート、パラレルポート、ＲＳ−２３２、ユニバーサルシリアルバス（ＵＳＢ）、ＩＥＥＥ  １３９４等の他のインタフェース装置も意図されている。
【００３９】
そのメディア格納および再生装置の前面の様々なポート５０７、ならびに背面（図示せず）のポートは、多くの周辺装置、例えば、音声出力装置（スピーカー）５１２、プリンタ５１４、デジタルカメラ５１６、リモコン装置５１８、スキャナ５２０、ゲーム用コントローラ５１９、外付けハードドライブ５１０、フラッシュカード５１０、ＳＤカード５１０、メモリスティック５１０およびビデオ出力装置５０８とインタフェースをとるように構成されている。別法として、そのメディア格納および再生装置は、アンテナ５１１を介して無線でスマートメディアトランスポータ装置と通信することができる。加えて、そのメディア格納および再生装置は、テレビチューナーカード５０６を介して、または、第三者の衛星またはケーブルテレビ用チューナーから直接、テレビ番組を受信すること、およびいずれかの画面アスペクト比での再生のために、そのような情報をＤＶＲハードウェアおよびソフトウェアを介してＨＤＴＶフォーマットで記録することが可能である。そのメディア格納および再生装置のデュアルチューナー５０６は、多数の放送チャンネルを同時に受信および記録できるようにするものである。デュアルチューナーが議論されているが、追加的なチューナーを有することが可能であり、そのような構成は、本発明の範囲内にある。
【００４０】
一旦、そのメディア格納および再生装置によってデジタル情報が受信されてトランスコーディングされると、その装置は、その情報を内部ハードドライブ５０２に格納する。ダウンロードされたメディア（例えば、映画、音楽、写真、ゲーム、ビデオ、およびＶＯＤ／ケーブルムービーサービス）は、簡単な格納および素早い再生を可能にするために、内部ハードドライブ５０２上のインテグレーテッドフレックスメモリのメディアライブラリに格納される。そのフレックスメモリは、そのメディアライブラリが、そのメディア格納および再生装置で再生可能などのような種類のデジタルファイルでも処理できるようにするものである。追加的な記憶容量を設けるために、１つ以上の外付けハードドライブをそのメディア格納および再生装置に接続することができる。
【００４１】
メディア格納および再生装置１０４は、インターネット５２２またはＷＡＮ、ＭＡＮ、ＬＡＮ、ＰＡＮ等のデータネットワーク１１４と通信を確立することが可能である。従って、ユーザは、メディア販売キオスクと情報をやりとりすることなく、それを介して直接、メディアをダウンロードすることができるワールドワイドウェブ、電子メール、およびビジネスおよび格納サーバにアクセスすることができる。ここでもまた、ユーザが、メディア販売キオスク１０６と情報をやりとりすることを要求することが望ましい場合には、メディア販売システム１００のオペレータは、この機能を無効にすることを選択することができる。
【００４２】
図６を参照すると、本発明のユニバーサルマルチメディア販売、格納、および再生システムのメディア格納および再生装置に付随するハードウェア６０２の好適な実施形態のブロック図が図示されている。メディア格納および再生装置１０４の装置主要部は、多数のコンポーネントで構成されている。全てのコンポーネントが図６に示されているわけではなく、その装置の必須の機能にとって重要なコンポーネントのみが図示されていることに留意されたい。例えば、中央処理装置６１２、不揮発性メモリ６１４、グラフィック処理ユニット６１６および内蔵ＨＤビデオ／オーディオカード６１８、デジタルコンバータ６２０、ＨＤビデオおよびオーディオカード６２２、ハードドライブ６２４および制御部６２６、および電源６８０は、そのメディア格納および再生装置の重要なコンポーネントである。
【００４３】
上述したように、そのメディア格納および再生装置は、様々なソースから情報を読取ることができる。光ディスク（ＤＶＤ、ＢＬＵ−ＲＡＹ、ＣＤ、高解像デジタル多用途ディスク（ＨＤ−ＤＶＤ）等）６０４、（ＰＣＭＣＩＡスロット６３１を介した）メディアトランスポータ装置６０６、ＳＤカード６０８およびＵＳＢフラッシュドライブ６１０は、そのメディア格納および再生装置が収容してトランスコーディングするであろう物理的なメディア装置の実例である。そのメディア格納および再生装置に配設されたポート群（ＨＤＭＩ  ６５０、ＨＤビデオコンポーネント６５２、Ｓ−ビデオ６５４、ＲＣＡ６５６、ｅＳＡＴＡ６０５、デジタルオーディオ６５８、ＵＳＢ２．０／３．０  ６６０等）は、多くの周辺装置（テレビ受像機６３０、プリンタ６３２、ＩＰＯＤ（登録商標）（パーソナルメディアプレーヤー）６３４、ビデオカメラ６３６、デジタルカメラ６３８、スキャナ６４０、パーソナルコンピュータ６４２等）をサポートする。イーサネットポートは、データネットワークとの通信を提供する。また、その装置は、アンテナ６６４、ＲＦトランシーバ６６６およびＢＬＵＥＴＯＯＴＨ（登録商標）６６８を介した無線通信が可能である。無線手段を通じてそのメディア格納および再生装置と通信することができる例示的な装置は、パーソナルコンピュータ６４２、携帯電話／ＰＤＡ６４４、トランスポータドッキングステーション６０７、リモコン装置６７０、ゲーム用コントローラ６７２、入力装置（マウス／キーボード）６７４およびＢＬＵＥＴＯＯＴＨ（登録商標）ヘッドフォン６７６を含む。
【００４４】
次に、図７を参照すると、本発明のユニバーサルマルチメディア販売、格納、および再生システムのメディア格納および再生装置１０４に付随するソフトウェア７００の好適な実施形態のブロック図が図示されている。リナックスは、メディア格納および再生装置１０４の好適な実施形態におけるオペレーティングシステム７０２として用いられる。しかし、当業者は、市販または専用の他のオペレーティングシステムも利用することができ、および本発明の範囲内にあることを正しく理解するであろう。
【００４５】
好適な実施形態のそのオペレーティングシステムは、その装置と情報をやりとりする機能をユーザに与えるメディアサーバグラフィックユーザインタフェース（ＧＵＩ）と情報をやりとりするように適応されている。また、その装置に格納されている情報のデータベースもそのオペレーティングシステムおよびＭｙｔｈＴＶ（登録商標）等のＤＶＲアプリケーションと情報をやりとりする。上記の機能は、ユーザが、光ディスク／トランスポータ装置等の外部のメディアソースから取込んだメディアに、およびその装置によって受信されたテレビ番組にもアクセスできるようにする。追加的なアプリケーション（ユーザインタフェースメニュー７１０、ビデオ／オーディオＤＶＲ７１２およびコンテンツブラウザ７１４）は、それを介して、メディアがその装置に格納されているか否か、および鑑賞のためにアクセス可能であるか否かを判断することができるインタフェースをユーザに与える。
【００４６】
様々な形式の暗号化メディアコンテンツ（映画、音楽、ゲーム用ソフトウェア等）を含む光ディスクは、そのタスクに適したソフトウェアアプリケーション７２０を用いてトランスコードされる。そのメディアトランスポータ装置の好適な実施形態は、公的に入手可能なＨＡＮＤＢＲＡＫＥ（登録商標）（ｈｔｔｐ：／／ｈａｎｄｂｒａｋｅ．ｆｒを参照）ソフトウェアアプリケーションを用いて、ユーザにより提供されたメディアをトランスコードするが、当業者は、物理的なメディア（例えば、ＤＶＤ、ＣＤ、ＢＬＵ−ＲＡＹ（登録商標）等）上に存在する暗号化された情報をトランスコーディングするための手段を実現できる他のアプリケーションを、本発明に関して有効に利用できることを正しく理解するであろう。本発明の代替的な実施形態は、様々な物理的なメディア上に存在する暗号化されたメディアをトランスコーディングおよび格納するための他の方法、例えば、参照により本願明細書に組込まれる米国特許出願公開第２００８／０００５８０２（Ａ１）号明細書（“ＤＶＤ  Ｉｄｅｎｔｉｆｉｃａｔｉｏｎ  ａｎｄ  Ｍａｎａｇｅｄ  Ｃｏｐｙ  Ａｕｔｈｏｒｉｚａｔｉｏｎ”）で教示されている方法を利用することができる。その装置にダウンロードされて格納されるメディアの完全性を保証するために、システム１００のオペレータが、デジタル著作権管理（ｄｉｇｉｔａｌ  ｒｉｇｈｔｓ  ｍａｎａｇｅｍｅｎｔ：ＤＲＭ）システムを利用することが意図されている。例えば、本発明の代替的な実施形態において、そのようなデジタル著作権管理システムは、ユーザによってダウンロードされたメディアコンテンツに、そのメディアコンテンツにアクセスできる回数またはそのメディアコンテンツにアクセスできる期間に関する情報を組込むことができる。そのメディア格納および再生装置内に存在するソフトウェアは、そのメディアコンテンツがその装置に転送されたときにその情報を受取り、それに従って、そのメディアへのユーザのアクセスを制限することになる。
【００４７】
暗号化アルゴリズム７１８およびセキュリティシステム７１６は、メディアコンテンツが、未許可の者によって不正にコピーされないために、その装置に不可欠であろう。また、そのシステム内に存在するアプリケーションは、メディアセキュリティおよび暗号化管理７２２の遠隔モニタリングを可能にするであろう。例えば、ＩｒｏｎＫｅｙ（登録商標）システムに用いられているのと同様の遠隔暗号化管理システム７２２は、そのシステムのオペレータに、そのメディアへのアクセスを確認し、そのメディアへのアクセスを無効にし、およびそのメディアの安全性を維持する必要がある場合に、メディアコンテンツを使えなくする機能を与えるであろう。従来技術による再生装置には見られないこの利点は、本発明と共に用いられるメディアが安全なままであることを、知的所有権の所有者が確信できるという点で重要である。前述したように、様々な形式のマルチメディア７３０がその装置上でアクセス可能になり、その装置は、データを送受信するために、様々なデータネットワーク７４０と通信することが可能になる。ファームウェアおよび他のドライバ７５０は、その装置が、様々な種類の内部コンポーネント、外部のメディアソースおよび周辺装置との通信を可能にするであろう。
【００４８】
本願明細書には、上述したシステムと接続して、マルチメディアをユーザに販売する方法も開示されている。第１の方法は、ユーザに関するマーケティング情報が格納されているビジネスサーバにさらに接続されているデータネットワークに接続されているメディア販売キオスクにユーザがアクセスできるようにするステップを含む。次のステップは、そのキオスクが、彼または彼女の識別に関する情報をユーザから受取ることを実行できる。その次のステップは、そのキオスクが、そのデータネットワークを介してそのビジネスサーバと通信して、そのユーザに関する広告情報および他の情報と、そのユーザとを関連付けることを実行できる。そのようなマーケティング情報は、ユーザのメディアの好み、ユーザによるメディアコンテンツの過去の購入記録、ユーザの年齢、ユーザの性別、ユーザの住所、および小売店の場所を含むことができる。その方法の次のステップは、ユーザの識別に基づいて、そのユーザへ送信する広告情報と、そのビジネスサーバまたは外部の広告サーバに格納されているマーケティング情報とを選択するサーバを含む。その方法の次のステップは、そのビジネスサーバが、そのキオスクへの広告用材料を含む情報を送信することを実行できる。最後のステップは、そのキオスクが、その広告用材料を印刷してユーザに配布することを実行できる。このようにして、本発明は、従来技術によるメディア販売システムには見られない追加的な利点を実現できる。すなわち、そのメディア販売キオスクは、そのキオスクが設置されている小売店内で商品やサービスを、または、その小売店には直接関連していない商品やサービスを宣伝するために、そのシステムのオペレータが利用することができる。
【００４９】
本願明細書において教示されているメディア販売のための別の方法は、購入またはレンタルされたユーザの所望のメディアコンテンツと共に、映像または音声による広告用コンテンツ等のデジタルマーケティングコンテンツをユーザへ伝達するための方法を含む。そのメディアコンテンツおよびマーケティングコンテンツを再生するのに用いられるその装置は、そのマーケティングコンテンツのユーザの再生に関する情報をモニタおよび格納するためのソフトウェアを含むであろう。そのような情報は、そのメディアコンテンツが再生された回数を含み、および１つ以上のマーケティングコンテンツの項目がユーザへ伝達された場合に、どのマーケティングコンテンツ項目がユーザによって再生されたかを含むことになるであろう。そして、この情報は、データネットワークを介してそのビジネスサーバに、または、トランスポータ装置を介してそのキオスクに送信される。そのマーケティングコンテンツのユーザによる再生に基づいて、そのユーザは、メディアコンテンツまたは他の商品の将来の購入に対する割引、または、過去の購入またはレンタルに対する金銭的クレジット等の金銭的な利益を得ることができる。
【００５０】
例えば、メディアプロバイダは、ユーザに、宣伝等のプロモーションビデオを観る機会を与えることを選択することができる。その宣伝用メディアは、ユーザにより具体的に所望されたメディアと同時に、そのユーザのメディアトランスポータ装置にダウンロードされる。（スマートトランスポータ装置であるかまたはメディア格納および再生装置であるかに関わらず）その再生装置内に存在するアプリケーションは、ユーザに、その所望のメディアの再生中に、または別の時間に、その宣伝用メディアを観る機会を与える。観た場合、観たという情報が、データネットワークを介してそのビジネスサーバへ送信されることになる。別法として、その宣伝用メディアのユーザの視聴に関するそのような情報は、次の機会に、ユーザがそのトランスポータ装置にメディア販売キオスクと情報をやりとりさせることができるようにして、前記情報がそのビジネスサーバにアップロードされるように、そのメディアトランスポータ装置に返信してもよい。そのビジネスサーバが、その宣伝用メディアのユーザの視聴に関する情報を受取った後には、金銭的または他のクレジット／割引を、そのユーザの口座に配分してもよい。
【００５１】
本願明細書で教示されているメディア販売のためのまた別の方法においては、ユーザには、そのユーザおよび彼または彼女の仲間が、メディアの好み（好きな映画、音楽、ゲーム等）を互いに共有できるようにするソーシャルネットワーキングソフトウェアアプリケーションが提供される。ユーザの仲間のメディアの好みに基づいて、ユーザは、そのユーザに提供されたソーシャルネットワーキングアプリケーションまたは別のソフトウェアアプリケーションを用いて、所望のメディアコンテンツ項目に関する彼または彼女のリストを記録および記憶させて、それらの相対的望ましさに従ってそれらをランク付けすることができる。所望のメディアに関する前述のリストに関連する情報は、上述したメディアトランスポート装置、そのメディア格納および再生装置、そのソーシャルネットワーキングソフトウェアアプリケーション、または他の何らかの装置またはアプリケーションに格納することができる。そして、その所望のメディアコンテンツ項目に関するリストは、そのキオスクまたはビジネスサーバに送信することができる。前述のリスト上で識別された１つ以上の所望のメディア項目は、その後の視聴のために、そのメディアトランスポート装置またはメディア格納および再生装置に転送することができる。そのユーザのリスト上の最も望ましいメディアコンテンツ項目は、先ず、そのユーザに転送されるであろうことが意図されている。所望のメディアコンテンツ項目のユーザのリスト（およびそのユーザによって生成された以前のリスト）に関する情報を、そのビジネスサーバに格納してもよい。マーケティング情報は、その所望のメディアコンテンツ項目のユーザのリスト（そのユーザによって生成された以前のリスト）の内容に基づいて、そのユーザに提供してもよい。
【００５２】
図８は、メディア販売キオスクにアクセスするユーザが入手可能な様々なメディアコンテンツの場合の、そのユーザに提示される選択肢を強調している、そのキオスクのユーザインタフェースの一実施形態を示す。図示されているように、そのシステムは、映画ファイル８０２、音楽８０４、電子書籍８０６、コンピュータゲーム８０８、着信音８１０、テレビ番組のビデオ８１２、スポーツビデオ８１４、ミュージックビデオ８１６、コンピュータソフトウェア８１８、および（限定するものではないが、映画、劇場、音楽、スポーツ、アートイベント等を含む）電子イベントチケット８２０等のデジタルメディアを表示することが可能である。また、楽譜８０４、ゲーム８０８の説明書、ソフトウェア８１８の説明書およびイベントチケット８２０等のアイテムのために、そのキオスクからプリントアウトを得ることもできる。ユーザは、選択するために、ユーザの所望の項目を示す画面の所望の領域に触れるか、または、そのインタフェース装置がマウスまたはトラックボールを利用している場合には、所望のアイコンに重ねてカーソルが置かれて、選択ボタンが選択される。また、検索機能８２２が利用可能であり、以下に詳細に説明する。
【００５３】
一旦、ユーザが選択を行うと、彼または彼女には、図９に示すような画面が提示される。図９は、ユーザが、クレジットカード９０２または会員証９０４等の何らかの本人確認が可能なものを挿入することを要求している、ユーザに対する初期画面を示すユーザインタフェースの実施形態の図である。そのシステムは、クレジットカードまたは会員証の磁気ストライプから、これから先の取引を容易にするための基本的なユーザ情報を抽出することができる。
【００５４】
以下の実施例は、ユーザが、「映画」機能８０２を選択しており、および彼または彼女の本人確認が可能なもの（９０２または９０４）を挿入済みであると仮定する。そして、そのユーザには、図１０に示すような画面が提示される。ユーザは、この機能により、映画を検索するためのキーワード１００２を、その画面上に提示されている仮想キーボード１００４を用いて入力できるようになっている。映画を探す代替的な手段として、ユーザは、適当な機能１００６を選択して、ユーザの関心および／または評価によって決まる新作の、今週人気がある、またはトップ４０位内の映画を表示させることができる。提供する映画を観るためのまた別の方法は、（アクション、ドラマ、ミュージカル、サイエンスフィクション等の）ジャンル、カテゴリー、または、タイトルの順次列挙１００８を選択することである。
【００５５】
映画のタイトルが見つかった時点で、そのシステムは、図１１のような画面を表示する。図１１は、ユーザに提示された場合の映画検索の結果を示す、そのユーザインタフェースの実施形態の図である。この画面には、映画タイトル１１０２および利用可能なフォーマット１１０４などの情報が表示される。この図に描かれているように、映画「Ｔｉｔａｎｉｃ」は、ＤＶＤ、ｉＰｏｄ、ＭＰＥＧ３およびＭＰＥＧ４のフォーマットで入手可能である。また、ユーザは、その映画に関する追加情報１１１０を得ることもでき、または、プレビュー１１０８を入手することができる。
【００５６】
映画フォーマットアイコン１１０４の選択は、そのシステムに、図１２Ａに描かれているような画面を表示させる。図１２Ａは、具体的なフォーマットに対する費用を含むタイトル１２０２に関する詳細情報と共に、ユーザによって選択された具体的な映画選択を示す、そのユーザインタフェースの実施形態の図である。ユーザは、その映画を彼または彼女の「ショッピングカート」１２０４に加えるか、または、購入前にプレビュー１２０６を入手することができる。ユーザが「プレビュー」１２０６を選択した場合、その画面は、図１２Ｂに示すように、その映画のビデオクリップ１２０８を表示する。図１２Ｂは、ユーザによって選択された具体的な映画選択のプレビューを示す、そのユーザインタフェースの実施形態の図である。
【００５７】
ユーザが、その映画をショッピングカート１２０４に加えると、そのシステムは、図１３に描かれているようなショッピングカートを表示する。図１３は、ショッピングカート機能およびユーザによって選択された内容を示す、そのユーザインタフェースの実施形態の図である。そのショッピングカートは、各タイトルの費用１３０４および（税金または特別な処理を除く）ユーザに請求すべき購入総額１３０６と共に、現時点で購入のために選択されているタイトル１３０２を表示する。そして、ユーザは、「ショッピングを続ける」１３１０を選択するか、または、単に「精算」して１３１２、その購入のための支払いを済まして、そのダウンロードを入手することができる。
【００５８】
精算時には、図１４に描かれているような画面がユーザに提示される。図１４は、そのユーザの場合の支払い方法の画面および購入総額を示す、そのユーザインタフェースの実施形態の図である。ユーザは、クレジットカード１４０２または商品券１４０４による支払いを選択することができる。本発明の代替的な実施形態は、（ＡＴＭと同様の）現金取扱い機能を含むことができ、および紙幣処理装置に紙幣を挿入するという選択肢をユーザに提示してもよい。クレジットカード１４０２が選択され、およびユーザが最初にクレジットカードを機械に通して、そのシステムに個人情報を与えると、そのシステムは、図１５に示すような画面を表示する。図１５は、ユーザに対する代替的な支払いプロンプト画面を示す、そのユーザインタフェースの実施形態の図である。そのシステムは、プロンプト画面を表示して、最初に機械に通したカードで購入物の支払いをしたいか否か１５０２をユーザに尋ねる。そのカードが承認されて、取引が承認されると、そのシステムは、図１６に示すような画面を表示する。図１６は、そのユーザの場合の支払い完了画面を示す、そのユーザインタフェースの実施形態の図である。図に示すように、そのクレジットカードは承認された１６０２。
【００５９】
支払いが済んだ後には、ユーザは、購入物をダウンロードできるようになっている。そして、そのシステムは、選択されたフォーマットにより、図１７Ａ〜図１７Ｄに図示されているような画面を表示する。図１７Ａは、ステータスバーが、転送状態１７０２を示している状態の、ＵＳＢ接続型装置１７０４に関連するメディア転送画面を示す、そのユーザインタフェースの実施形態の図である。図１７Ｂは、ステータスバー１７０２が、ｉＰｏｄ（登録商標）装置１７０６への転送状態を示している状態のメディア転送画面を示す、そのユーザインタフェースの実施形態の図である。図１７Ｃは、ステータスバー１７０２が、ＵＳＢフラッシュドライブ装置１７０８への転送状態を示している状態の、ユーザに対する代替的なメディア転送画面を示す、そのユーザインタフェースの実施形態の図である。図１７Ｄは、ステータスバー１７０２が、光学格納装置１７１０への転送状態を示している状態の、ユーザに対する代替的なメディア転送画面を示す、そのユーザインタフェースの実施形態の図である。メディア転送が完了すると、そのシステムは、図１８に描かれているような画面をユーザに提示する。図１８は、メディア転送完了画面を示す、そのユーザインタフェースの実施形態の図である。その後、支払いが確定し、レシートが印刷されて、図１９に示すような画面がユーザに提示される。図１９は、ユーザの支払い完了画面を示す、そのユーザインタフェースの実施形態の図である。
【００６０】
図２０は、本発明のまた別の実施形態のフロー図を示す。図示されているように、ユーザにはまず、Ａｄｏｂｅ（登録商標）Ｆｌａｓｈ（登録商標）プログラミングを利用して動画によるアトラクション画面２００２が提示される。このような画面は、ユーザの関心を引くこと、およびそのシステムに関するユーザへのアピールを高めることが意図されている。
【００６１】
ユーザがその画面に触れた後、彼または彼女には、選択画面２００４が提示される。この画面は、映画、音楽、ゲームまたは電子書籍等のメディアの種類を選択することをユーザに促す。ユーザが映画を選択すると、そのシステムは、映画カテゴリー（すなわち、新作、売れ筋または大まかな検索２０１０）の選択をユーザに促す画面を表示する。また、映画の画像、宣伝、または他の広告バナーも表示される２００８。
【００６２】
カテゴリーの選択は、ユーザをジャンル選択画面２０１２へ進ませる。ジャンルの選択は、無数に存在する提供映画のさらなる絞込みを可能にする。例えば、ユーザは、アクション、ドラマ、コメディ、ホラーまたは家族向け映画２０１４の中から選択することができる。その他のジャンルも意図されており、本発明の範囲内にある。
【００６３】
ジャンルの選択は、利用可能な映画タイトルのリスト２０１６を提示する。ユーザは、具体的な映画タイトルを選択することができ、または、特定のタイトルを探すために検索機能２０１８に入力することができる。キーワード検索を入力する際、または、具体的なタイトルを選択する際、そのシステムは、符号２０２０に示すような画面を提示する。この画面は、検索結果を提示し、各タイトルの利用可能なフォーマット２０２２を表示する。映画フォーマットの選択は、そのシステムに、アイテム詳細画面２０２４を表示させる。このことは、ユーザに、そのタイトルを彼または彼女のショッピングカートに加えるという選択肢、または、購入前に、そのタイトルをプレビューするという選択肢を与える。そのシステムは、尺により映画の全てまたは一部の再生を可能にしている。
【００６４】
精算時に、ユーザには、ショッピングカート表示２０２６が提示される。この表示は、ユーザの所望する購入物の各々に関する項目明細を提示する。ユーザが、精算および支払いの準備ができている場合、そのシステムは、購入の小計、および何らかの税金および手数料を含む精算画面２０２８を提示する。ユーザは、クレジットカード払いまたは商品券から選択することができ、あるいは、現金の受入れ装置（例えば、紙幣の受入れを可能にするために、自動販売機によって利用される装置）が取付けられている場合には、現金を挿入することができる。
【００６５】
ユーザが、最初にクレジットカードを機械に通して、そのシステムに初期アクセスした場合には、彼または彼女は、最初に機械に通したカードで購入取引を続けることを可能にする画面２０３０を提示させることができる。「はい」を選択すると、前に使われたカードでの購入が認証される２０３２。ユーザに、異なるカードをカードリーダに挿入することを促すことは選択されない２０３４。
【００６６】
支払いが確認された後には、取引のダウンロード部分が開始できるようになっている。そのシステムは、符号２０３６に示すような画面を表示する。図示されているように、そのシステムは、その装置の位置決め機能を可能にし、およびユーザのメディアトランスポート装置との接続を待つ。この接続は、無線でも有線でもよく、またそのシステムは、そこへデータを転送することになる装置の種類を自動的に検出する。その装置が位置決めされると、そのシステムは、符号２０３８に示すような画面を提示する。この画面は、ダウンロード状態インジケータを含み、および典型的には、転送されるタイトル、その装置上で利用可能な空き容量、および接続されている装置の種類を表示する。そのダウンロードが正常に終了した場合には、そのシステムは、正常画面２０４０を表示し、およびその購入に関する何らかの必要な指示を提示する。その後、その取引のレシートが生成されて、その取引が確定する２０４２。そのレシートは、ハードコピーのプリントアウトとすることができ、あるいは、電子メールによるメッセージとして、不必要な印刷を避けるのに役立ててもよい。
【００６７】
本発明は、メディア販売キオスク装置の実施形態、すなわち、デジタルメディアコンテンツのメディアトランスポータ装置への１つ以上のダウンロードを得るための、ユーザによるアクセスのための装置を含み、その装置は、グラフィックユーザインタフェース（ＧＵＩ）を生成すること、およびそのＧＵＩを表示装置に表示することが可能な処理装置であって、そのＧＵＩは、販売可能な複数の種類のメディアコンテンツを表示する第１の画面を有する処理装置と、ユーザからの入力コマンドを受入れることが可能な第１の入力装置であって、そのコマンドは、関連するメディアコンテンツのユーザ選択を含む入力装置と、複数のデジタルフォーマットで、メディアコンテンツが投入され、および選択された関連するメディアコンテンツの後のメディアトランスポータ装置への転送が可能な不揮発性メモリ装置と、選択された関連するメディアコンテンツの後のダウンロードのために、そのキオスクとユーザのメディアトランスポータ装置とのインタフェースをとるための第１のメディアトランスポータインタフェース装置と、ユーザによって選択された関連するメディアコンテンツと共に符号化された光学格納ディスクを生成することが可能な光学格納記録および分配装置とを具備する。
【００６８】
また、この実施形態は、ユーザの購入取引を容易にするためのカードリーダ装置を含んでもよい。
また、この実施形態は、関連するメディアコンテンツのユーザ選択に対応するハードコピー文書を生成することが可能な印刷装置を含んでもよい。
【００６９】
また、この実施形態は、タッチスクリーン機能を含んでもよい。
また、この実施形態は、タッチスクリーンディスプレイである第１の入力装置を含んでもよい。
【００７０】
また、この実施形態は、ユーザの識別の判断を可能にするカードリーダ装置を含んでもよい。
また、この実施形態は、関連するメディアコンテンツのユーザ選択に応答して、イベントチケットを印刷することが可能な印刷装置を含んでもよい。
【００７１】
また、この実施形態は、そのメディアトランスポータ装置に係合する物理的なコネクタを含む第１のメディアトランスポータインタフェース装置を含んでもよい。
また、この実施形態は、第２のメディアトランスポータインタフェース装置を含んでもよい。
【００７２】
また、この実施形態は、無線接続プロトコルを用いる第２のメディアトランスポータインタフェース装置を含んでもよい。
また、この実施形態は、Ｂｌｕｅｔｏｏｔｈ（登録商標）トランシーバである第２のメディアトランスポータインタフェース装置を含んでもよい。
【００７３】
また、この実施形態は、広告用サーバを含んでもよく、その装置は、関連するメディアコンテンツのユーザ選択に基づいて広告を選択し、また、その広告は、そのＧＵＩ上に表示される。
【００７４】
また、この実施形態は、広告用サーバを含んでもよく、また、その広告は、ユーザが選択した関連するメディアコンテンツと共に表示される。
また、この実施形態は、映画、音楽、書籍、テレビ番組、スポーツイベント、ミュージックビデオ、コンピュータソフトウェアおよびイベントチケットからなる群から選択されるデジタルファイルを含むメディアコンテンツを含むことができる。
【００７５】
本発明は、メディア格納および再生装置の実施形態を含み、その装置は、暗号化されたメディアコンテンツが格納される不揮発性メモリを有する物理的なメディア装置と、メディアコンテンツが格納される不揮発性メモリを有するメディア装置のうちの少なくとも一方を受け容れるためのメディアインタフェース装置と、少なくとも１つのコンピュータ処理装置、すなわち、揮発性メモリであって、その処理装置が、第１の物理的メディア装置に格納されている暗号化されたメディアコンテンツと、メディア装置に格納されたメディアコンテンツとをトランスコーディングすることが可能である処理装置と、処理装置によって制御可能な少なくとも１つの格納装置であって、少なくともメディアコンテンツの格納のための不揮発性メモリを有する格納装置と、データネットワークとの通信を確立するための無線トランシーバと、格納装置に格納されたメディアコンテンツの再生用の再生装置とを備える。
【００７６】
また、この実施形態は、物理的なメディア装置を含むことができ、その物理的メディア装置は、デジタル多用途ディスク（ＤＶＤ）、コンパクトディスク（ＣＤ）、ＢＬＵ−ＲＡＹ（登録商標）ディスク、および高解像度デジタル多用途ディスク（ＨＤ−ＤＶＤ）からなる群から選択される装置である。
【００７７】
また、この実施形態は、物理的メディア装置を含んでもよく、そのメディア装置は、ＥＸＰＲＥＳＳＣＡＲＤ（登録商標）、セキュアデジタル（ＳＤ）カード、メモリスティック、およびユニバーサルシリアルバス（ＵＳＢ）フラッシュドライブからなる群から選択される装置である。
【００７８】
また、この実施形態は、そのメディアコンテンツの再生のための処理装置を含む物理的メディア装置を含んでもよい。
また、この実施形態は、物理的メディア装置を含んでもよく、そのメディア装置は、グラフィックユーザインタフェース（ＧＵＩ）が表示されるディスプレイを含み、ユーザが、そのメディアコンテンツに関する情報にアクセスできるようになっている装置である。
【００７９】
また、この実施形態は、物理的メディア装置を含んでもよく、そのメディア装置は、携帯電話、携帯情報端末（ＰＤＡ）、ラップトップコンピュータおよび携帯型メディアプレーヤーからなる群から選択される装置である。
【００８０】
また、この実施形態は、データネットワークを含んでもよく、そのデータネットワークは、プライベートネットワーク、モバイルデータネットワーク、衛星ネットワーク、公衆交換電話網（ＰＳＴＮ）およびインターネットからなる群から選択されるネットワークである。
【００８１】
また、この実施形態は、メディアコンテンツソースを含んでもよく、そのメディアコンテンツソースは、メディア格納および再生装置が、メディアコンテンツを受信するための通信を確立することができるように、そのデータネットワークに接続される。
【００８２】
また、この実施形態は、メディア格納および再生装置を含んでもよく、そのメディアコンテンツの再生は、そのメディア格納および再生装置に接続された複数の表示装置を介して実現される。
【００８３】
また、この実施形態は、メディアコンテンツを含んでもよく、そのメディアコンテンツは、そのメディアコンテンツにアクセスするためのユーザの権限に関する情報を含む。
また、この実施形態は、メディア格納および再生装置を含んでもよく、そのメディア格納および再生装置は、そのメディアコンテンツにアクセスするためのユーザの権限に関する前記情報に従って、そのメディアコンテンツへのアクセスを制限する。
【００８４】
また、この実施形態は、映画、音楽、テレビ番組、着信音、オーディオブック、電子書籍、ゲーム用ソフトウェアおよびメディアクリップからなる群から選択されるメディアコンテンツを含むこともできる。
【００８５】
本発明は、メディアコンテンツを販売するための方法の実施形態を含み、その方法ステップは、ユーザによる購入のための複数の、ユーザが選択可能なメディアコンテンツを有するメディア販売キオスクを備えるステップであって、そのメディアコンテンツがグラフィックユーザインタフェース（ＧＵＩ）上に表示されるステップと、そのキオスクにおいて、そのユーザのカードからのユーザの識別に関する情報を受取り、およびそのユーザに関連する情報に基づいて広告を選択するステップと、メディアコンテンツのユーザ選択に関連する具体的なタイトルに対する検索クエリを受入れ、およびそのシステム上で利用可能な関連するタイトルをそのＧＵＩ上に表示するステップと、ユーザが選択したタイトルのプレビューの要求を受入れて、そのプレビュービデオをそのＧＵＩ上に表示するステップと、ユーザメディアトランスポータ装置へのダウンロードのために、そのシステム上で利用可能なユーザが選択したタイトルのためのデータフォーマットを表示するステップと、１人以上のユーザが選択したタイトルに対するユーザ支払い方法を承認するステップと、そのユーザメディアトランスポート装置に接続し、およびそのトランスポート装置のための必要なデータフォーマットを自動的に決定するステップと、選択されたタイトルをそのメディアトランスポート装置にアップロードするステップとを含む。
【００８６】
また、この実施形態は、表示装置を含んでもよく、その表示装置は、タッチスクリーン機能を含む。
また、この実施形態は、追加的な方法ステップを含み、その方法ステップは、そのユーザの識別に基づいて、そのＧＵＩへの表示のための広告を選択するステップをさらに含む。
【００８７】
また、この実施形態は、追加的な方法ステップを含み、その無線接続プロトコルは、そのユーザメディアトランスポート装置に接続するために利用される。
また、この実施形態は、追加的な方法ステップを含み、そのメディアトランスポート装置の再生フォーマットは自動的に決定され、および選択されたタイトルは、そのメディアトランスポート装置に対して正しいフォーマットでアップロードされる。
【００８８】
以上、本願明細書において、ユニバーサルマルチメディア販売、格納、および再生システムおよび方法を開示してきたことは、当業者には明らかであろう。本発明を、好適な実施形態によって説明してきたが、本発明の趣旨および範囲を逸脱することなく、他の適応および変更を採用できることは明らかであろう。本願明細書で用いられている用語および表現は、限定に関する用語としてではなく、説明に関する用語として用いられており、従って、同等物を排除するという意図はなく、それどころか、本発明の趣旨および範囲を逸脱することなく用いることのできるありとあらゆる同等物をカバーすることが意図されている。
【図１】
0005893779.tif 000002
【図２】
0005893779.tif 000003
【図３】
0005893779.tif 000004
【図４】
0005893779.tif 000005
【図５】
0005893779.tif 000006
【図６】
0005893779.tif 000007
【図７】
0005893779.tif 000008
【図８】
0005893779.tif 000009
【図９】
0005893779.tif 000010
【図１０】
0005893779.tif 000011
【図１１】
0005893779.tif 000012
【図１２Ａ】
0005893779.tif 000013
【図１２Ｂ】
0005893779.tif 000014
【図１３】
0005893779.tif 000015
【図１４】
0005893779.tif 000016
【図１５】
0005893779.tif 000017
【図１６】
0005893779.tif 000018
【図１７Ａ】
0005893779.tif 000019
【図１７Ｂ】
0005893779.tif 000020
【図１７Ｃ】
0005893779.tif 000021
【図１７Ｄ】
0005893779.tif 000022
【図１８】
0005893779.tif 000023
【図１９】
0005893779.tif 000024
【図２０Ａ】
0005893779.tif 000025
【図２０Ｂ】
0005893779.tif 000026
【図２０Ｃ】
0005893779.tif 000027
【図２０Ｄ】
0005893779.tif 000028